(57)【要約】      （修正有）【課題】紐がほどけることがなく、且つ、靴に洗練された外観を与える靴用の紐を提供する。【解決手段】靴２用の紐１であって、靴２は、両縁部４、５に貫通穴７を有する紐通路３を備えており、紐１は、本質的に、少なくとも部分的に架橋された少なくとも１つのシリコーンエラストマーから形成され、１つ又は複数のシリコーンポリマーと、充填剤とを含み、紐１は、その中央部に、紐１と一体になっている識別区域９を含み、識別区域９は、紐１が靴２の貫通穴７、７ｉを通過すると、靴２の紐１の紐通路３の両側で紐通路３の基部に位置する２つの下部貫通穴７ｉの間で靴２の甲の上に配置されるように構成されている。【選択図】図１
0003217076.tif 000002
【実用新案登録請求の範囲】
【請求項１】
靴（２）用の紐（１）であって、前記靴（２）は、両縁部（４、５）に貫通穴（７）を有する紐通路（３）を備えており、
前記紐（１）は、本質的に、少なくとも部分的に架橋された少なくとも１つのシリコーンエラストマーから形成され、１つ又は複数のシリコーンポリマーと、充填剤と、場合により以下の化合物：触媒、架橋剤、顔料、接着防止剤、可塑剤、接着促進剤のうちの少なくとも１つとを含み、
前記紐（１）は、その中央部に、前記紐（１）と一体になっている識別区域（９）を含み、前記識別区域（９）は、前記紐（１）が前記靴（２）の貫通穴（７、７ｉ）を通過すると、前記靴（２）の前記紐（１）の前記紐通路（３）の両側で前記通路（３）の基部に位置する２つの下部貫通穴（７ｉ）の間で前記靴（２）の甲の上に配置されるように構成されていることを特徴とする紐（１）。
【請求項２】
それぞれ、前記紐（１）の中央部において前記識別区域（９）と接続される、２本のストランド（８１、８２）を備えており、前記識別区域は、好ましくは前記２本のストランド（８１、８２）とともに、全く同一の成形品、特に射出成形品を形成することを特徴とする請求項１に記載の紐（１）。
【請求項３】
前記２本のストランド（８１、８２）は、ほぼ同じ長さであり、前記識別区域（９）は、前記靴（２）の前記紐（１）の前記紐通路（３）の両側で前記紐通路（３）の基部に位置する前記２つの下部貫通穴（７ｉ）の間で、前記紐（１）をセンタリングする手段であることを特徴とする請求項１又は２に記載の紐（１）。
【請求項４】
前記識別区域（９）は、全体的に多角形、好ましくは矩形の形状を有し、目に見える外面（１３）に、前記紐（１）の文字及び／又は図形による識別及び／又は伝達の標識（１０）を少なくとも１つ含むことを特徴とする請求項１から３のいずれか一項に記載の紐（１）。
【請求項５】
前記文字及び／又は図形による識別及び／又は伝達の標識（１０）は、前記識別区域（９）のくり抜き部（１４）によって少なくとも部分的に形成されることを特徴とする請求項３に記載の紐（１）。
【請求項６】
前記文字及び／又は図形による識別及び／又は伝達の標識（１０）の少なくとも一部に対応する浮き出し模様（１６）を有する支持体（１１）を含み、好ましくはこれら浮き出し模様（１６）の上部が、前記識別区域（９）の前記目に見える外面（１３）に対して突出し、前記文字及び／又は図形による識別及び／又は伝達の標識（１０）の少なくとも一部を浮き出して表示させるように、前記浮き出し模様（１６）が、前記識別区域（９）の前記くり抜き部（１４）内に少なくとも部分的にはめ込まれることを特徴とする請求項４に記載の紐（１）。
【請求項７】
前記文字及び／又は図形による識別及び／又は伝達の標識（１０）は、前記識別区域（９）の前記目に見える外面に作られる、刻印、中空部及び／又は浮き彫り（１６）、及び／又はインク印刷によって少なくとも部分的に形成されることを特徴とする請求項３から５のいずれか一項に記載の紐（１）。
【請求項８】
前記文字及び／又は図形による識別及び／又は伝達の標識（１０）の少なくとも一部は、コントラストをなして視認されるように、前記識別区域（９）と異なる色を有することを特徴とする請求項１から７のいずれか一項に記載の紐（１）。
【請求項９】
前記識別区域（９）は、少なくとも部分的に、好ましくは目に見える外面（１３）上で、透明なカバー（１２）によって被覆され、前記透明なカバー（１２）は、好ましくは、前記識別区域（９）の前記目に見える外面（１３）を被覆する単一の部分、又は場合によりヒンジ接続された、２つの部分（１２１、１２２）であって、前記識別区域（９）若しくは前記支持体（１１）の前記目に見える外面（１３）及び隠れた内面（２０）をそれぞれ被覆する２つの部分（１２１、１２２）からなることを特徴とする請求項１から８のいずれか一項に記載の紐（１）。
【請求項１０】
・ＲＦＩＤチップ、ＧＰＳチップ、使用者の身体的活動を測定するセンサ：歩数計、加速度計、速度計、生理的パラメータ、信号送受信器から好ましくは選択される１つ又は複数の電子装置、
・少なくとも部分的に、好ましくは前記識別区域（９）の前記外面（１３）を少なくとも被覆する、透明なプラスチックカバー（１２）によって高められる発光効果自体によって、特に前記文字及び／又は図形による識別及び／又は伝達の標識を強調するための発光体、ＬＥＤ発光体、
・電気エネルギー源：電池、バッテリ、太陽エネルギー変換装置、
・偽造防止の真正性マーカを含む群から選択される要素（２１）の少なくとも１つを含むことを特徴とする請求項１から９のいずれか一項に記載の紐（１）。
【請求項１１】
ＡＳＴＭ  Ｄ６２４の規格により決定され、Ｎ／ｍｍで表示される、優先順位の昇順、１以上；２以上；３以上；４以上；５以上で与えられる耐引裂性を有し、この耐引裂性が更に好ましくは５〜２０Ｎ／ｍｍであることを特徴とする請求項１から１０のいずれか一項に記載の紐（１）。
【請求項１２】
前記紐（１）は、複数の通路（２０）を備えた、「ＢｌｏｃＫｎｏｔ」と名付けられたプレート（３０）によって前記靴（２）に対してロックされるように構成されており、前記複数の通路（２０）は、前記通路（２０）における前記紐の前記ストランド（８１、８２）の自由端部の噛合いによって、従ってグリップによって、好ましくは、前記プレート（３０）の表側及び裏側で前記紐の前記ストランド（８１、８２）の自由端部が交互に前記通路（２０）を通ることによって前記紐（１）を保持することを特徴とする請求項１から１１のいずれか一項に記載の紐（１）。
【請求項１３】
前記プレート（３）は、矩形又は細長い全体的形状を有し、好適には、端部領域よりも狭い中央領域を有することを特徴とする請求項１から１２のいずれか一項に記載の紐（１）。
【請求項１４】
前記プレート（３０）は、足の湾曲に適合する曲面を有することを特徴とする請求項１から１３のいずれか一項に記載の紐（１）。
【請求項１５】
前記靴（２）に対して前記紐（１）をロックする「ＢｌｏｃＫｎｏｔ」と名付けられたプレート（３０）であって、請求項１２から１４のいずれか一項に記載のプレートと、紐、特に請求項１から１４のいずれか一項に記載の紐（１）とを含む紐締めアセンブリ。
【考案の詳細な説明】
【技術分野】
【０００１】
本考案は、一般に靴紐に関する。特に、弾性紐、例えば例を挙げるとシリコーンエラストマー製の紐は、靴に対して配置されると、必要な足の固定を妨げとなることなく、快適性に配慮して、靴が使用者の足の体積の変動に順応できるようにし、かつ使用者が、紐を解かずに繰り返して靴を履き、かつ脱げるようにもする。
【０００２】
スポーツシューズ、矯正靴、タウンシューズ等であってもよい。
【背景技術】
【０００３】
紐は、貫通穴、紐孔、バックル、フック等内に挿入され、かつ靴を足に留めるために結ぶ柔軟なひもである。
従来、紐は、天然生地（綿、ジュート又は麻）若しくは合成生地（ポリエステル、ポリアミド、ポリオレフィン：ポリエチレン等）、皮革生地、又は弾性材料生地で製作されている。
【０００４】
紐の端部は、貫通穴内の紐通しを容易にでき、かつ織物製の紐の場合に前記端部のほつれを防止できるようにする硬質部分を含む。
その弾性伸長性のために、弾性紐は、足に外傷を与え、かつ血液循環を妨げる過度な締め付けを防止することを目的とする。
【０００５】
既に商品化された弾性紐の中で、撚り合わされた紐、又は自動ロック突縁部を有する紐が挙げられる。
同様に２０１３年から商標Ｆｒｅｅｌａｃｅ（登録商標）で販売されているシリコーンエラストマー紐が知られている。
【０００６】
シリコーンエラストマーは、ケイ素、炭素、酸素及び水素を主成分とするポリマーである。それらは、架橋後に得られ、かつ破砕前に非常に大きな変形に耐えることを可能にする弾性的性質を有する。またそれらは、弾性跳ね返り及び伸びのような弾性衝突性能を与えられ、それにより外力の停止後にその初期形状を取り戻せるようになる。
【０００７】
これらのシリコーンエラストマー紐は、接着防止という、シリコーンのもう１つの性質を享受し、その結果それらは自動ロックする。
それらは、射出成形又は押出によって従来の方法で製造される。
【０００８】
市販されたこれらのシリコーンエラストマー紐は、しかしながら、特にその伝達能力及びその美的魅力に関して改良可能である。同様に、既知のシリコーンエラストマー紐は、その耐引裂性に関して改善できる。
【０００９】
その上、紐締めに関して、紐は、ループ又は二重ループによって足の甲に対して結ばれる。稀に二重ループの場合、多くは単一のループの場合に、結び目がほどけ、これは、靴の着用者に、ほどけた紐で再び結び目を作ることを必要とさせる。そうでなければ、紐を傷める、又はその上を歩いて転ぶ危険を冒すことになる。
【００１０】
これらの結び目は、必ずしも美的でなく、かつ靴のデザインの魅力に悪影響を及ぼし得る。
【考案の概要】
【考案が解決しようとする課題】
【００１１】
本考案は、標章の表示、及び／又は装飾、及び／又は耐引裂性の改善、及び／又は機械的性質及び外観以外の新規機能性の供給の面で改良されたシリコーンエラストマー紐を提供することを目的とする。
【００１２】
本考案は、紐を備えた靴に対して紐の端部を集め、ロック（換言すれば、固定）することに役立つ紐のループ締め（紐締め）にも関して、靴の従来の結び目を取り替えて、実用的、美的、かつ安全な解決法を提供することも目的とする。この解決法が、紐がほどける可能性を取り除き、かつ靴に洗練された外観を与えることが望ましいであろう。
【００１３】
この解決法は、新規の紐締め装置である。
【課題を解決するための手段】
【００１４】
本考案は、両縁部が貫通穴を有する紐通路を備える靴用の新規な紐であって、本質的に、少なくとも部分的に架橋された少なくとも１つのシリコーンエラストマーから形成されるとともに、１つ又は複数のシリコーンポリマーと、充填剤と、場合により以下の化合物：触媒、架橋剤、顔料、接着防止剤、可塑剤、接着促進剤のうちの少なくとも１つとを含み、紐は、その中央部に、紐と一体になっている識別区域を含み、識別区域は、紐が靴の貫通穴を通過すると、紐の紐通路の両側で紐通路の基部に位置する２つの下部貫通穴の間で靴の甲の上に配置されるように構成されていることを特徴とする紐を提案し、これらの目標の全部又は一部を満たす。
【００１５】
この紐は、靴の上に際立った、魅力的な視覚的アイデンティティを有し、このことは、その独特な特徴、及びそれ故にその商業的な魅力を明白にする。従って、本考案による紐は、その中央に標章表示を与えられる。例えば矩形の形状のこの場所は、紐に対して選択された標章を強調する。２つの第１貫通穴（例えば紐孔）間のその場所、及びその形状は、靴と区別し、かつ好適な技術的性質を与えられた完全な商業的対象を作って、紐の供給者を完全に識別する。
【００１６】
本考案による紐は、その上、次の特徴の少なくとも１つを有する。
識別区域は、全体的に多角形、好ましくは矩形の形状を有する。
識別区域は、目に見える外面に、紐の文字及び／又は図形による識別及び／又は伝達の少なくとも１つの標識を含む。
【００１７】
この文字及び／又は図形による識別及び／又は伝達の標識は、識別区域のくり抜き部によって少なくとも部分的に形成される。
この紐は、文字及び／又は図形による識別及び／又は伝達の標識の少なくとも一部に対応する浮き出し模様を有する支持体を含み、好ましくはこれら浮き出し模様の上部が、識別区域の目に見える外面に対して突出し、文字及び／又は図形による識別及び／又は伝達の標識の少なくとも一部を浮き出して表示させるように、前記浮き出し模様が、識別区域のくり抜き部内に少なくとも部分的にはめ込まれる。
【００１８】
変形例によれば、文字及び／又は図形による識別及び／又は伝達の標識は、識別区域の目に見える外面に作られる、刻印、中空部及び／又は浮き彫り、及び／又はインク印刷によって少なくとも部分的に形成される。
【００１９】
興味深い可能性によれば、文字及び／又は図形による識別及び／又は伝達の標識の少なくとも一部は、コントラストをなして視認されるように、識別区域と異なる色を有する。
【００２０】
識別区域は、少なくとも部分的に、好ましくはその目に見える外面上で、透明なカバーで被覆され、透明なカバーは、好ましくは識別区域の目に見える外面を被覆する単一の部分、又は識別区域若しくは支持体の目に見える外面及び隠れた内面をそれぞれ被覆する、場合によりヒンジ結合された、２つの部分からなる。
【００２１】
紐に他の機能性を供給するために、紐が、
・ＲＦＩＤチップ、ＧＰＳチップ、使用者の身体的活動を測定するセンサ：歩数計、加速度計、速度計、生理的パラメータ、信号送受信器から好ましくは選択される１つ又は複数の電子装置、
・少なくとも部分的に、好ましくは識別区域の目に見える外面を少なくとも被覆する、透明なプラスチックカバーによって高められる発光効果自体によって、特に文字及び／又は図形による識別及び／又は伝達の標識を強調するための発光体、ＬＥＤ発光体、
・電気エネルギー源：電池、バッテリ、太陽エネルギー変換装置、
・偽造防止の真正性マーカを含む群から選択される要素の１つを少なくとも含み得ることが予測される。
【００２２】
この紐は、ＡＳＴＭ  Ｄ６２４の規格により決定され、Ｎ／ｍｍで表示される、優先順位の昇順、１以上；２以上；３以上；４以上；５以上で与えられる耐引裂性を有し、この耐引裂性が更に好ましくは５〜２０Ｎ／ｍｍであることを特徴としてもよい。
【００２３】
好ましくは、本考案による紐（１）は、複数の通路を備えた、「ＢｌｏｃＫｎｏｔ」と名付けられたプレートによって靴に対してロックされるように構成されており、この複数の通路は、通路における紐のストランドの自由端部の噛合いによって、従ってグリップによって、好ましくは、プレートの表側及び裏側で紐のストランドの自由端部が交互に通路を通ることによって紐を保持することを特徴とする。
【００２４】
好適には、靴に対する紐のロックプレートは、矩形又は細長い全体的形状を有し、かつ更に良好には、端部領域よりも狭い中央領域を有する。他の変形例によれば、このプレートは、円形、長方形、台形等であってもよい。
【００２５】
本考案の注目すべき特徴に従えば、靴に対する紐のロックプレートは、足の湾曲に適合した曲面を有する。このために、プレートの構成材料は、木材又はＰＶＣのような予備成形された硬質材料であるか、又は柔軟な材料であってもよい。プレート側のための湾曲した予備成形は、機械加工、曲げ加工、成形によって得られてもよい。このようにしてプレートの湾曲は、足の、更に正確には甲の生理的曲面に最高に近付く。
【００２６】
もう１つの態様に関して、本考案は、靴（２）に対して紐（１）をロックする「ＢｌｏｃＫｎｏｔ」と名付けられたプレート（３０）であって、以上に定義されたプレートと、紐、特に本考案による紐（１）とを含む紐締めアセンブリに関する。
【００２７】
紐、更に厳密には紐のストランド端部の靴に対するロックプレートの通路の数は、例えば全体で６〜最大１０である。
好適には、前記ロックプレートは、識別及び／又は装飾標識を好ましくはその表側に、すなわち目に見える前面に有してもよい。その平面上の例えばロゴ又は他のグラフィックデザインであってもよい。かかる装飾は、特に印刷、溶接、サブリミネーションによって製作され得る。
【００２８】
ロックプレートは、選択された美的表現、及び／又は所望の人間工学により様々な材料から製作され得る。例えば足の形状へのプレートの順応をこのようにして保証する半硬質材料であってもよい。
【００２９】
（「ＢｌｏｃＫｎｏｔ」と呼ばれる）紐靴用の紐結びのこの新規な解決法は、靴の従来の結び目の好適な代替物である。これは、安全な紐締め装置である。
この紐締めの解決法の不可欠な手段を構成するこのプレートは、靴をその形状及び優美さによって美化することを更に目的とする。プレートは、紐及び靴と良好に組み合わせるために、様々な色、様々な材料であってもよい。その目に見える前面（表側）は、靴／紐／ロックプレートのアセンブリの価値を高めるために表示装置の、ロゴを有する支持体の役目を果たしてもよい。
【００３０】
安全に寄与するために、本考案による紐締め装置、すなわちロックプレートは、視覚信号伝達手段、例えばＬＥＤのような発光体を好適には組み込む。
好適には、プレート内の紐のストランドの自由端の通過孔は、紐の横断面の形状に対応する様々な形状、例えば円形、細長、長方形、台形、三角形等であってもよい。
【００３１】
シリコーンエラストマー材料
本考案による紐は、液体形状を呈し、次に成形型内、又は押出ダイスの出口で架橋するシリコーンエラストマーの射出成形又は押出であってもよい従来の成形技術によって好ましくは一体で製作される。シリコーンエラストマー又はシリコーンゴムは、過酸化物の作用で高温で（ＨＴＶ）、又は特に白金塩を主成分とする架橋触媒の存在下か、有機スズ触媒の存在下でアルキルシリケートの作用で周囲温度で（ＲＴＶ）加硫するエラストマーゴム（ＳＲ）タイプであってもよい。これらのシリコーンエラストマーは、ＨＣＲ：「Ｈｉｇｈ  Ｃｏｎｓｉｓｔｅｎｃｙ  Ｓｉｌｉｃｏｎｅ  Ｒｕｂｂｅｒ（高粘度シリコーンゴム）」とも名付けられる。過酸化、白金又はフッ素ＨＣＲが存在する。それは、変形例において、特に白金塩を主成分とし、かつ粘度が例えば３０〜２００Ｐａ・ｓであり、更に正確には約１００Ｐａ・ｓである、架橋触媒によって一般に加熱して加硫する液体タイプ（ＬＳＲ）又は超液体タイプ（ＸＬＲ）であってもよい。同様に、セルラーシリコーンであってもよい。
【００３２】
紐を形成する架橋シリコーンエラストマーの耐引裂性を改善するために、本考案によれば例えばエラストマーの調合において、ＢＥＴ比表面積が＞１００ｍ２／ｇである焼成シリカ、沈降シリカ、例えば石英又は珪藻土又はカーボンブラックを主成分とする不活性充填剤を組み込むことが推奨される。
【００３３】
架橋後、ショアＡ硬度は、例えば３０〜１００であり、かつ好ましくは４０〜８０である。
紐の構造
中央識別区域の両側で、紐は、多角形、例えば長方形、円形、又は靴の貫通穴を通した紐通しに適した他のあらゆる形状の横断面を有するシリコーンエラストマー製のひも又は糸である。
【００３４】
同様に、その横断面の寸法は、靴の貫通穴内の通過を可能にするようになっているべきであり、例えば数ミリメートルである。
紐は、現行の規格に対応する様々な長さを有していてもよく、例えば８００〜１８００ｍｍである。
【００３５】
好ましい実施態様によれば、紐は、前記紐の中央部において各々が識別区域に接続される２本のストランドからなり、識別区域は、好ましくは２本のストランドとともに、全く同一の成形品、特に射出成形品を形成する。
【００３６】
例えば、識別区域は、紐の構成要素をなす。識別区域及び２本のストランドからなる紐は、好ましくは全く同一の材料、すなわちシリコーンエラストマーにおいて、かつ好適には同じ操作において製作される。
【００３７】
もう１つの好適な実施態様によれば、紐の２本のストランドは、ほぼ同じ長さであり、かつその場合に識別区域は、靴上の紐の通路の両側において通路の基部に位置する２つの下部貫通穴の間の紐のセンタリング手段である。
【００３８】
その上、本考案によれば、識別区域の両側の紐のストランドは、一定の、又は形状若しくは寸法が可変の断面を互いに独立して有してもよい。
単純な徒競走のためのモデルは、全長にわたって矩形断面を有し、かつ約３０°の斜断によって各々が終了する２本のストランドを例えば有してもよく、靴の紐孔内に紐を容易に通せるようにする。
【００３９】
紐締めは、各最終紐孔の終点で従来の結び目によって、又は小さい結び目によって、かつ紐の余剰分を切断して終了しても、又はしなくてもよい。
従来の結び目に代わって、本考案によれば、通路内での紐の噛合いによって、かつそれ故にグリップによって紐を保持する複数の通路を備えた「ＢｌｏｃＫｎｏｔ」と名付けられた本考案によるプレートを用いて、靴に対する紐のストランドの自由端のロックによって紐締めを終了することが好ましい。
【００４０】
シリコーン紐は、裁縫の縫い目と同様に、前記プレートの通路内への前記紐の導入後、ロックプレートに対して紐の位置を保つことが可能であるような摩擦係数を有する。
支承スポーツのためのモデルは、別個の幾つかの区域に対して配分された、異なる断面を各々がその長さにわたって有する２本のストランドを例えば有してもよい。
【００４１】
このモデルは、様々な足のサイズ：Ｓ−Ｍ−Ｌを有する使用者の要求にこのようにして応じて、３つのサイズで変化させてもよい。サイズＬは、例えば９２０ｍｍの長さに対応し得る。
【図面の簡単な説明】
【００４２】
【図１】靴に対して配置された紐の斜視図を表す。
【図２Ａ】図２Ａは、本考案による紐の識別区域の装飾的な変形例の斜視図である。
【図２Ｂ】図２Ｂは、本考案による紐の識別区域の装飾的な変形例の斜視図である。
【図３】本考案に従った好ましい実施形態による紐の識別区域の分解組立斜視図である。
【図４】図３に現れた透明なカバーの斜視図である。
【図５】組み立てられた形態での図３の紐の識別区域の図である。
【図６】図３に現れた浮き出し模様の支持体の隠れた後面を示す紐の識別区域の背面図である。
【図７Ａ】図７Ａは、透明なカバーが、２つの部分からなる本考案による紐の第１の実施変形例を示す。
【図７Ｂ】図７Ｂは、透明なカバーが、２つの部分からなる本考案による紐の第１の実施変形例を示す。
【図７Ｃ】図７Ｃは、透明なカバーが、２つの部分からなる本考案による紐の第１の実施変形例を示す。
【図７Ｄ】図７Ｄは、透明なカバーが、２つの部分からなる本考案による紐の第１の実施変形例を示す。
【図８Ａ】図８Ａは、透明なカバーが、端部に対して薄くした中心領域を有する識別区域を持つ、２つの部分からなる本考案による紐の第２の実施変形例を示す。
【図８Ｂ】図８Ｂは、透明なカバーが、端部に対して薄くした中心領域を有する識別区域を持つ、２つの部分からなる本考案による紐の第２の実施変形例を示す。
【図８Ｃ】図８Ｃは、透明なカバーが、端部に対して薄くした中心領域を有する識別区域を持つ、２つの部分からなる本考案による紐の第２の実施変形例を示す。
【図８Ｄ】図８Ｄは、透明なカバーが、端部に対して薄くした中心領域を有する識別区域を持つ、２つの部分からなる本考案による紐の第２の実施変形例を示す。
【図９】靴の上に配置された「ＢｌｏｃＫｎｏｔ」プレートの斜視図を表す。
【図１０】プレートの正面図を表す。
【図１１】エラストマータイプの紐が上に位置決めされ、靴がなく、プレートを取り除かれた図を表す。
【図１２】紐の設置段階を表す。
【図１３】紐の設置段階を表す。
【図１４】紐の設置段階を表す。
【図１５】平坦な繊維の紐による使用を表す。
【図１６】可能な仕上げを表す。
【図１７】可能な仕上げを表す。
【図１８】「ＢｌｏｃＫｎｏｔ」プレートの強度及び靴紐用の一連の孔によるグリップ装置の効果を示す。
【図１９】靴の上に配置された「ＢｌｏｃＫｎｏｔ」プレートの斜視図を表す。
【図２０】ロックプレート及びプレートの通路内に固定された紐の端部を示す。
【図２１】ロックプレートの使用方法を表す。
【図２２】ロックプレートの使用方法を表す。
【図２３】ロックプレートの使用方法を表す。
【図２４】ロックプレートの使用方法を表す。
【図２５】ロックプレートの使用方法を表す。
【図２６】紐締めが、本考案によるシリコーン紐及び本考案によるロックプレートを用いて行われた、靴の一部の正面図を示す。
【考案を実施するための形態】
【００４３】
本考案による紐の実施例を、図１〜図８Ｄを参照して以下に記載する。
図１に示すように、本考案による紐１は、この場合に例えばスポーツシューズである靴２に使用者の足を締め付けることを安定させ得る。従来、この紐１は、靴２の甲に備えられ、かつ靴２の両側縁部４、５及び舌革６によって画定される通路３上に配置される。これらの両側縁部４、５は、紐７がジグザグに通路３の基部から通される貫通穴７、特には２つの下部貫通穴７ｉを有する。
【００４４】
この紐１は、各々が紐１の中央部において、識別区域９に接続される２本のストランド８１及び８２からなる架橋シリコーンエラストマー製の紐であり、識別区域９は、この場合、例えば長方形状のプレートからなり、かつ図２Ｂ、図３及び図５では名称「ＷＯＬＦ」によって形成され、図２Ａでは名称「ＵＮＣＩＡ」によって形成される文字の識別及び／又は伝達の標識１０を有する。
【００４５】
紐１の２本のストランド８１及び８２は、この実施例において、プレート／識別区域９とともに全く同一の射出成形品を形成する、長方形（例えば長さ４ｍｍかつ幅２ｍｍ）の横断面を有する。
【００４６】
図３から図６に現れるように、紐１、かつ特にはそのプレート／識別区域９は、一方でプレート／識別区域９の下方に位置する長方形の支持体１１と、他方でプレート／識別区域９の目に見える外面１３と相対して配置された透明なカバー１２（図４）との間に挟まれる。
【００４７】
その上、プレート／識別区域９は、文字の識別及び／又は伝達の標識１０、この場合に名称「ＷＯＬＦ」に対応するくり抜き部１４を含む。新しいプレート／識別区域とほぼ同じ寸法であり、かつポリ塩化ビニル（ＰＶＣ）、ポリエチレンテレフタレート（ＰＥＴ）又はポリエチレン（ＰＥ）のような例えば成形プラスチック材料内で製作される長方形支持体１１は、文字の識別及び／又は伝達の標識１０、この場合に名称「ＷＯＬＦ」に対応する浮き出し模様１６を（図１、図２Ａ、図２Ｂ及び図３の配置の参照によって）上面１５に有する。浮き出し模様１６は、プレート／識別区域９のくり抜き１４内にはめ込まれ、かつプレート／識別区域９の厚さに対して浮き出し模様１６の上部が、プレート／識別区域９の目に見える外面１３に対して突き出るような高さを有する。
【００４８】
これらの構造的特徴は、文字の識別及び／又は伝達の標識１０、この場合に名称「ＷＯＬＦ」を特に強調する美的かつ魅力的な視覚効果を作り出す。
この効果は、図３に現れるように、透明なカバー１２によって更に増大される。透明なカバー１２は、シリコーンエラストマーのプレート／識別区域９、及び長方形支持体１１内にそれぞれ配列され、かつ設けられた孔１８、１９内に導入され、かつ保持される４つの歯またはピン１７を用いてプレート／識別区域９に固定される。
【００４９】
この浮き出し模様１６及びこの透明なカバー１２は、紐１の商業的な見やすさを最適化する。
図１は、文字及び／又は図形及び／又は伝達の標識１０を有するプレート／区域９を備えた紐１が、靴１から際立って、消費者にそれ自身、靴２から独立した付属品として現れることを示す。２つの下部貫通穴７ｉ間の靴２の通路３の基部へのプレート／識別区域９の配置は、紐１の標章を強調するために選りすぐった場所である。
【００５０】
図６に示すように、通路３の２つの下部貫通穴７ｉ間で、靴２の舌革６の上に載る長方形支持体１１の下面２０は、識別又は偽造防止の標識／追跡の情報媒体２１として使用され得る。
【００５１】
その上、本考案の好適な変形例によれば、長方形支持体１１及び／又は成形シリコーンエラストマーのプレート／識別区域９は、小型化された電子装置（ＲＦＩＤ、位置決定センサ、運動センサ、生理的パラメータセンサ、気象センサ、送受信器、等）、電気エネルギー源、発光体等も含んでもよいし、支持してもよい。これらのいずれもが、使用者に役立つ複数の機能性を紐（１）に与えられることを可能にする。
【００５２】
図７Ａから図７Ｄは、同じ材料で、かつ一体で製作された２本のストランド８１、８２によって延長されるシリコーンエラストマーのプレート／識別区域９をカプセル化し、かつヒンジ結合される２つの部分１２１及び１２２からなるカバー１２の第１の変形例を示す。文字の識別及び／又は伝達の標識１０は、ここでは名称「Ｓ−ＬＡＣＥ」からなる。
【００５３】
図８Ａから図８Ｄは、同じ材料で、かつ一体で製作された２本のストランド８１、８２によって延長されるシリコーンエラストマーのプレート／識別区域９をカプセル化し、かつヒンジ結合される２つの部分１２１及び１２２からなるカバー１２の第２の変形例を示す。文字の識別及び／又は伝達の標識１０は、ここでも名称「Ｓ−ＬＡＣＥ」からなる。しかし、図７Ａ〜図７Ｄの第１の変形例と異なり、プレート／識別区域９は、それぞれストランド８１、８２と連結する中間領域８０１、８０２を各々が形成する２つの端部を含む。これらの端部領域８０１、８０２は、プレート／識別区域９の残りの部分よりも厚い。ヒンジ結合された透明なカバー１２は、２つの端部領域８０１、８０２の間に位置するこの薄くした区域を包む。
【００５４】
図７Ａ〜図７Ｄ及び図８Ａ〜図８Ｄの２つの変形例において、透明なカバー１２の２つのヒンジ結合される部分１２１及び１２２は、例えばクリップを用いて互いに組み立てられる。
紐の製造
紐１は、例えばＬＳＲ又はＨＣＲを主成分とするタイプの、かつＷＡＣＫＥＲ社によってＥＬＡＳＴＯＳＩＬ（登録商標）Ｒ、ＦＬＲ若しくはＬＲ、又はＣＥＮＵＳＩＬ（登録商標）Ｒ  ３４０の名称で商品化された架橋されないシリコーン原料から好適には射出成形される。
【００５５】
射出成形装置は、例えばシリコーンゴム用の射出成形機ＹＩＺＵＭＩ  ＹＬ−Ｖ３６０Ｌ、ＹＬ−ＡＢ５００Ｌ又はＹＬ−ＡＢ５５０Ｌであってもよい。
本考案のもう１つの主題は、本説明において定義されたような紐の製造方法であって、
−  １つ又は複数のシリコーンポリマーと、充填剤と、場合により以下の化合物：触媒、架橋剤、顔料、接着防止剤、可塑剤、接着促進剤のうちの少なくとも１つとを含む、架橋されないシリコーン原料を利用するステップと、
−  このシリコーン原料が、押出成形機又は成形型の内部での成形後に、架橋され、硬化されたシリコーンエラストマーに変化するように、このシリコーン原料の押出又は射出成形によって紐の成形を行うステップと、
−  場合により紐を適切な長さで切断するステップと、
−  このようにして得られた紐を回収するステップと、
−  前記紐を冷却するステップと、
−  前記紐を、その販売のために包装するステップとから本質的になる方法によって形成される。
【００５６】
靴に対して紐のストランドの自由端を固定するためのロックプレート
「ＢｌｏｃＫｎｏｔ」プレートの材料
本考案による「ＢｌｏｃＫｎｏｔ」プレートは、選択された材料による様々な製造技術：例えばプラスチック材料の成形、次にプレート内に紐の通路を製作するための穿孔によって、好ましくは一体で製作される。
【００５７】
本考案によれば、足の曲面とプレートとの調和のための柔軟性を得るために、かつ、一連の孔に紐を通すことによって紐を固定するための最小の剛性を得るために、いわゆる半硬質材料を使用することが推奨される。適合した半硬質材料の例として、厚さ約１ｍｍのシート状ポリプロピレンが挙げられる。
【００５８】
変形例によれば、かつ特に美的な理由により、木材が、プレートの構成材料として使用できる。曲面が、足、特には足の甲の形状に対応するように機械加工される。
もう１つの変形例によれば、例えば本考案による紐を構成する材料と同じタイプのシリコーン材料のような柔軟な材料を利用する。シリコーン材料の柔軟さは、足の形状への非常に良好な順応を可能にする。その上、ロックプレートのシリコーンは、紐のシリコーンと同様に、これら２つの要素を互いに対してロックすること（滑らないこと：高い摩擦係数）に寄与するであろう。
【００５９】
結び目を解かない靴履き及び靴脱ぎを要求するエラストマータイプの紐に対して使用するために、我々は、抗張力（換言すれば、耐ストレッチ性）がある材料の使用を推奨する。
「ＢｌｏｃＫｎｏｔ」プレートの構造
前記プレートは、全体的に矩形状である。しかし、三角形、円等のような変形例を有してもよい。例えば標章のロゴの輪郭を取り得る、いわゆるカスタマイズされた形状を有してもよい。
【００６０】
その寸法は、材料の性質又は靴の大きさに応じて変動してもよい。本考案は、幅２０ｍｍ、長さ５０ｍｍのいわゆる標準寸法において多く実施される。極値は幅５０ｍｍ、長さ１００ｍｍである。
【００６１】
その厚さは、選択された材料に応じて同様に可変である。ポリプロピレンを例とすれば、幅２０ｍｍ、長さ５０ｍｍのプレートは、厚さ０．５ｍｍから１．２ｍｍで変動する厚さを有し、０．８ｍｍが適切な平均である。
【００６２】
紐が通過する孔は、様々な形状であってもよい。その大きさは、使用される紐よりも概ね小さい。更に小さい一連の（少なくとも）３つの孔に紐を通すことにより、制動効果及びグリップによって紐がロックされる。
【００６３】
本考案による「ＢｌｏｃＫｎｏｔ」プレートの実施例が、図９〜図２６を参照して記載される。図９は、靴の上に配置された「ＢｌｏｃＫｎｏｔ」プレートの斜視図を表す。図１０は、プレートの正面図を表す。図１１は、エラストマータイプの紐が上に位置決めされ、靴がなく、プレートを取り除かれた図を表す。図１２は、紐の設置段階を表す。図１３は、紐の設置段階を表す。図１４は、紐の設置段階を表す。図１５は、平坦な繊維の紐による使用を表す。図１６は、可能な仕上げを表す。図１７は、可能な仕上げを表す。図１８は、「ＢｌｏｃＫｎｏｔ」プレートの強度及び靴紐用の一連の孔によるグリップ装置の効果を示す。図１９は、靴の上に配置された「ＢｌｏｃＫｎｏｔ」プレートの斜視図を表す。図２０は、ロックプレート及びプレートの通路内に固定された紐の端部を示す。図２１〜図２５は、ロックプレートの使用方法を表す。図２６は、紐締めが、本考案によるシリコーン紐及び本考案によるロックプレートを用いて行われた、靴の一部の正面図を示す。
【図１】
0003217076.tif 000003
【図２Ａ】
0003217076.tif 000004
【図２Ｂ】
0003217076.tif 000005
【図３】
0003217076.tif 000006
【図４】
0003217076.tif 000007
【図５】
0003217076.tif 000008
【図６】
0003217076.tif 000009
【図７Ａ】
0003217076.tif 000010
【図７Ｂ】
0003217076.tif 000011
【図７Ｃ】
0003217076.tif 000012
【図７Ｄ】
0003217076.tif 000013
【図８Ａ】
0003217076.tif 000014
【図８Ｂ】
0003217076.tif 000015
【図８Ｃ】
0003217076.tif 000016
【図８Ｄ】
0003217076.tif 000017
【図９】
0003217076.tif 000018
【図１０】
0003217076.tif 000019
【図１１】
0003217076.tif 000020
【図１２】
0003217076.tif 000021
【図１３】
0003217076.tif 000022
【図１４】
0003217076.tif 000023
【図１５】
0003217076.tif 000024
【図１６】
0003217076.tif 000025
【図１７】
0003217076.tif 000026
【図１８】
0003217076.tif 000027
【図１９】
0003217076.tif 000028
【図２０】
0003217076.tif 000029
【図２１】
0003217076.tif 000030
【図２２】
0003217076.tif 000031
【図２３】
0003217076.tif 000032
【図２４】
0003217076.tif 000033
【図２５】
0003217076.tif 000034
【図２６】
0003217076.tif 000035
【手続補正書】
【提出日】平成30年5月23日(2018.5.23)
【手続補正１】
【補正対象書類名】実用新案登録請求の範囲
【補正対象項目名】全文
【補正方法】変更
【補正の内容】
【実用新案登録請求の範囲】
【請求項１】
靴（２）用の紐（１）であって、前記靴（２）は、両縁部（４、５）に貫通穴（７）を有する紐通路（３）を備えており、
前記紐（１）は、本質的に、少なくとも部分的に架橋された少なくとも１つのシリコーンエラストマーから形成され、１つ又は複数のシリコーンポリマーと、充填剤とを含み、
前記紐（１）は、その中央部に、前記紐（１）と一体になっている識別区域（９）を含み、前記識別区域（９）は、前記紐（１）が前記靴（２）の貫通穴（７、７ｉ）を通過すると、前記靴（２）の前記紐（１）の前記紐通路（３）の両側で前記通路（３）の基部に位置する２つの下部貫通穴（７ｉ）の間で前記靴（２）の甲の上に配置されるように構成されていることを特徴とする紐（１）。
【請求項２】
前記少なくとも１つのシリコーンエラストマーが、以下の化合物：触媒、架橋剤、顔料、接着防止剤、可塑剤、接着促進剤のうちの少なくとも１つを含むことを特徴とする請求項１に記載の紐（１）。
【請求項３】
それぞれ、前記紐（１）の中央部において前記識別区域（９）と接続される、２本のストランド（８１、８２）を備えており、前記識別区域は、前記２本のストランド（８１、８２）とともに、全く同一の成形品を形成することを特徴とする請求項１または２に記載の紐（１）。
【請求項４】
前記識別区域（９）は、前記２本のストランド（８１、８２）とともに、全く同一の射出成形品を形成することを特徴とする請求項３に記載の紐（１）。
【請求項５】
前記２本のストランド（８１、８２）は、ほぼ同じ長さであり、前記識別区域（９）は、前記靴（２）の前記紐（１）の前記紐通路（３）の両側で前記紐通路（３）の基部に位置する前記２つの下部貫通穴（７ｉ）の間で、前記紐（１）をセンタリングする手段であることを特徴とする請求項３または４に記載の紐（１）。
【請求項６】
前記識別区域（９）は、全体的に多角形の形状を有し、目に見える外面（１３）に、前記紐（１）の文字及び／又は図形による識別及び／又は伝達の標識（１０）を少なくとも１つ含むことを特徴とする請求項１から５のいずれか一項に記載の紐（１）。
【請求項７】
前記識別区域（９）は、矩形の形状を有することを特徴とする請求項６に記載の紐（１）。
【請求項８】
前記文字及び／又は図形による識別及び／又は伝達の標識（１０）は、前記識別区域（９）のくり抜き部（１４）によって少なくとも部分的に形成されることを特徴とする請求項６または７に記載の紐（１）。
【請求項９】
前記文字及び／又は図形による識別及び／又は伝達の標識（１０）の少なくとも一部に対応する浮き出し模様（１６）を有する支持体（１１）を含み、これら浮き出し模様（１６）の上部が、前記識別区域（９）の前記目に見える外面（１３）に対して突出し、前記文字及び／又は図形による識別及び／又は伝達の標識（１０）の少なくとも一部を浮き出して表示させるように、前記浮き出し模様（１６）が、前記識別区域（９）の前記くり抜き部（１４）内に少なくとも部分的にはめ込まれることを特徴とする請求項８に記載の紐（１）。
【請求項１０】
前記文字及び／又は図形による識別及び／又は伝達の標識（１０）は、前記識別区域（９）の前記目に見える外面に作られる、刻印、中空部及び／又は浮き彫り（１６）、及び／又はインク印刷によって少なくとも部分的に形成されることを特徴とする請求項６から９のいずれか一項に記載の紐（１）。
【請求項１１】
前記文字及び／又は図形による識別及び／又は伝達の標識（１０）の少なくとも一部は、コントラストをなして視認されるように、前記識別区域（９）と異なる色を有することを特徴とする請求項６から９のいずれか一項に記載の紐（１）。
【請求項１２】
前記識別区域（９）は、少なくとも、目に見える外面（１３）上で、透明なカバー（１２）によって被覆され、前記透明なカバー（１２）は、前記識別区域（９）の前記目に見える外面（１３）を被覆する単一の部分、又はヒンジ接続された、２つの部分（１２１、１２２）であって、前記識別区域（９）若しくは前記支持体（１１）の前記目に見える外面（１３）及び隠れた内面（２０）をそれぞれ被覆する２つの部分（１２１、１２２）からなることを特徴とする請求項９に記載の紐（１）。
【請求項１３】
・ＲＦＩＤチップ、ＧＰＳチップ、使用者の身体的活動を測定するセンサ：歩数計、加速度計、速度計、生理的パラメータ、信号送受信器から選択される１つ又は複数の電子装置、
・前記識別区域（９）の前記外面（１３）を少なくとも被覆する、透明なプラスチックカバー（１２）によって高められる発光効果自体によって、前記文字及び／又は図形による識別及び／又は伝達の標識を強調するための発光体、ＬＥＤ発光体、
・電気エネルギー源：電池、バッテリ、太陽エネルギー変換装置、
・偽造防止の真正性マーカを含む群から選択される要素（２１）の少なくとも１つを含むことを特徴とする請求項６から１２のいずれか一項に記載の紐（１）。
【請求項１４】
ＡＳＴＭ  Ｄ６２４の規格により決定され、Ｎ／ｍｍで表示される、優先順位の昇順、１以上；２以上；３以上；４以上；５以上で与えられる耐引裂性を有し、この耐引裂性が５〜２０Ｎ／ｍｍであることを特徴とする請求項１から１３のいずれか一項に記載の紐（１）。
【請求項１５】
前記紐（１）は、複数の通路（２０）を備えたプレート（３０）によって前記靴（２）に対してロックされるように構成されており、前記複数の通路（２０）は、前記通路（２０）における前記紐の前記ストランド（８１、８２）の自由端部の噛合いによって、従ってグリップによって前記紐（１）を保持することを特徴とする請求項１から１４のいずれか一項に記載の紐（１）。
【請求項１６】
前記プレート（３０）は、矩形又は細長い全体的形状を有し、端部領域よりも狭い中央領域を有することを特徴とする請求項１５に記載の紐（１）。
【請求項１７】
前記プレート（３０）は、足の湾曲に適合する曲面を有することを特徴とする請求項１５から１６のいずれか一項に記載の紐（１）。
【請求項１８】
前記靴（２）に対して前記紐（１）をロックするプレート（３０）であって、請求項１５から１７のいずれか一項に記載のプレートと、請求項１から１７のいずれか一項に記載の紐（１）とを含む紐締めアセンブリ。